(57)【要約】【課題】ネット本体を最後まで適切に巻き取ることが可能なロール網戸を提供すること。【解決手段】ロール網戸は、巻き取り軸１３Ａと、巻き取り軸１３Ａに引き出し可能に巻き取られるネット本体２０と、ネット本体２０における引き出し方向と平行な端縁に設けられ、ネット本体２０よりも厚く形成されたファスナーテープ２３と、ファスナーテープ２３をスライド自在にガイドするガイドレールとを備え、巻き取り軸１３Ａにおけるネット本体２０の巻き取り位置には、巻き取り軸１３Ａの外周面の少なくとも一部を覆うカバー部材７が設けられている。【選択図】図４
2013147898.tif 000002
【特許請求の範囲】
【請求項１】
巻き取り軸と、
前記巻き取り軸に引き出し可能に巻き取られるスクリーンと、
前記スクリーンにおける引き出し方向と平行な端縁に設けられ、前記スクリーンよりも厚く形成された被ガイド部と、
前記被ガイド部をスライド自在にガイドするガイドレールとを備え、
前記巻き取り軸における前記スクリーンの巻き取り位置には、前記巻き取り軸の外周面の少なくとも一部を覆うカバー部材が設けられているスクリーン装置。
【請求項２】
前記スクリーンは、端部が前記巻き取り軸に固定された網材であり、
前記カバー部材は、弾性変形可能な材料により中心角が１８０°以上の円弧筒状に形成されており、
前記カバー部材の内周面には、前記網材の網目に係止可能な突起部が設けられている請求項１に記載のスクリーン装置。
【請求項３】
前記カバー部材の外周面には、前記突起部が係合可能な係合孔部が設けられ、
複数の前記カバー部材が前記突起部と前記係合孔部との係合によって前記巻き取り軸の径方向に重ねて設けられている請求項２に記載のスクリーン装置。
【発明の詳細な説明】
【技術分野】
【０００１】
本発明は、スクリーン装置に関する。
【背景技術】
【０００２】
従来、各種窓などの建具において、左右または上下に開閉自在でかつ防虫ネットなどのスクリーンが巻き取り可能なスクリーン装置が知られている（例えば、特許文献１参照）。
この特許文献１に記載のスクリーン装置は、枠材の上端部に取り付けられた巻き取り軸に防虫ネットを巻き付けて、防虫ネットを上下に開閉するものである。枠材内には、上下に延びるガイドレールが配設されている。また、防虫ネットの左右端部には、ガイドレール内にスリットを通じて係合される係止部材が取り付けられている。この係止部材は、防虫ネットとともに巻き取られるものであり、テープ状の本体と、当該本体の端縁に沿って設けられた係合部とを備え、防虫ネットよりも厚く形成されている。そして、係止部材とガイドレールとの係合によって、防虫ネットの撓みの抑制を図っている。
【先行技術文献】
【特許文献】
【０００３】
【特許文献１】実公平６−５０６３９号公報
【発明の概要】
【発明が解決しようとする課題】
【０００４】
しかしながら、特許文献１のような構成では、係止部材が防虫ネットよりも厚く形成されているため、係止部材と防虫ネットとが巻き取られるときの係止部材の巻き径（巻き取られたときの直径）が防虫ネットの巻き径よりも大きくなってしまう。このような巻き径の差が生じると、係止部材の巻き取り力（巻き取られる力）が防虫ネットの巻き取り力よりも大きくなり、この巻き取り力の差によって防虫ネットが係止部材よりも遅れて巻き取られることとなる。このため、巻き取り中に防虫ネットに撓みが発生してしまい、最後まで適切に巻き取ることができないという不具合が発生する。
【０００５】
本発明の目的は、スクリーンを最後まで適切に巻き取ることが可能なスクリーン装置を提供することにある。
【課題を解決するための手段】
【０００６】
本発明のスクリーン装置は、巻き取り軸と、前記巻き取り軸に引き出し可能に巻き取られるスクリーンと、前記スクリーンにおける引き出し方向と平行な端縁に設けられ、前記スクリーンよりも厚く形成された被ガイド部と、前記被ガイド部をスライド自在にガイドするガイドレールとを備え、前記巻き取り軸における前記スクリーンの巻き取り位置には、前記巻き取り軸の外周面の少なくとも一部を覆うカバー部材が設けられていることを特徴とする。
【０００７】
ここで、スクリーンとしては、防虫、遮光、断熱、目隠しなどの機能を有する網材、布材などが例示できる。また、スクリーンの引き出し方向としては、上下または左右のいずれの方向であってもよい。さらに、スクリーン装置としては、窓、玄関、ショーケースの屋内側や屋外側に配置可能なものであってもよい。
本発明によれば、巻き取り軸の少なくとも一部を覆うカバー部材を、巻き取り軸におけるスクリーンの巻き取り位置に設けているため、巻き取り軸によって巻き取られるときのスクリーンの巻き径を、カバー部材を設けない場合と比べて大きくすることができる。したがって、スクリーンと被ガイド部との巻き径の差を、カバー部材が設けられていない場合と比べて小さくすることができ、巻き取り力の差も小さくすることができる。よって、スクリーンが巻き取られるタイミングと被ガイド部が巻き取られるタイミングとの差が小さくなり、巻き取り中にスクリーンに撓みが発生することを抑制でき、スクリーンを最後まで適切に巻き取ることができる。
【０００８】
本発明のスクリーン装置では、前記スクリーンは、端部が前記巻き取り軸に固定された網材であり、前記カバー部材は、弾性変形可能な材料により中心角が１８０°以上の円弧筒状に形成されており、前記カバー部材の内周面には、前記網材の網目に係止可能な突起部が設けられていることが好ましい。
本発明によれば、弾性変形可能な材料を用いて、カバー部材を中心角が１８０°以上の円弧筒状に形成しているため、巻き取り軸の側方からカバー部材を弾性変形させながら容易に取り付けることができる。また、カバー部材の内周面に設けた突起部を巻き取り軸に固定された網材の網目に係止させることで、スクリーンの巻き取り中や引き出し中に、カバー部材が巻き取り軸の軸方向に沿って位置ずれすることを抑制できる。さらには、カバー部材を巻き取り軸に取り付けたまま、容易にスライドさせて位置を調整できる。
【０００９】
本発明のスクリーン装置では、前記カバー部材の外周面には、前記突起部が係合可能な係合孔部が設けられ、複数の前記カバー部材が前記突起部と前記係合孔部との係合によって前記巻き取り軸の径方向に重ねて設けられていることが好ましい。
ここで、スクリーンの巻き取り量が多くなるほど、あるいは、スクリーンと被ガイド部との厚みの差が大きくなるほど、スクリーンと被ガイド部との巻き径の差が大きくなる。
本発明によれば、係合孔部と突起部とを係合させるだけの簡単な方法によって、複数のカバー部材を巻き取り軸の径方向に重ねて設けたときに、外側のカバー部材が内側のカバー部材に対してスライドすることを抑制できる。また、このように複数のカバー部材を重ねて設けることで、１つのカバー部材のみを設けた場合と比べて、スクリーンの巻き径を大きくすることができる。したがって、スクリーンの巻き取り量に応じて、あるいは、スクリーンと被ガイド部との厚みの差に応じて、カバー部材を重ねることで、スクリーンと被ガイド部との巻き径の差を小さくすることが可能となる。よって、スクリーンの巻き取り量によらず、巻き取り中にスクリーンに撓みが発生することを抑制でき、スクリーンを最後まで適切に巻き取ることができる。さらには、同じ形状のカバー部材を重ねるだけでスクリーンの巻き径を大きくすることが可能となり、例えばスクリーンの巻き取り量に応じて異なる外形状のカバー部材を準備する必要がなくなり、部品種類の増加やコストアップを抑制できる。
【図面の簡単な説明】
【００１０】
【図１】本発明の一実施形態に係る建具を示す縦断面図。
【図２】前記建具の横断面図。
【図３】前記建具の下部を拡大して示す斜視図。
【図４】前記建具のカバー部材の取り付け状態を示す斜視図。
【図５】前記カバー部材の下方から見上げた斜視図
【図６】前記カバー部材を巻き取り軸に重ねて取り付けた状態を示す横断面図。
【図７】本発明の変形例に係るカバー部材を示す図であり、（Ａ）は斜視図であり、（Ｂ）は巻き取り軸に取り付けた状態を示す横断面図。
【図８】前記変形例に係るカバー部材を重ねて取り付けるときの分解斜視図。
【図９】前記変形例に係るカバー部材を重ねて取り付けるときの横断面図。
【発明を実施するための形態】
【００１１】
以下、本発明の一実施形態を図面に基づいて説明する。
図１および図２において、本実施形態に係る建具としての窓１は、建物の外壁開口部に固定される枠体である窓枠２と、この窓枠２に開閉自在に支持される面材６と、面材６よりも屋内側に設けられるスクリーン装置としてのロール網戸１０とを備えて構成されている。窓枠２は、上枠３、下枠４および左右の縦枠５とを有して構成され、この窓枠２に例えば両面テープなどのアタッチメント２９を介してロール網戸１０が取り付けられている。面材６は、丁番６Ａ等の支持装置に支持されることで、開き形式で屋外側に向かって開放可能に設けられている。
【００１２】
ロール網戸１０は、図３にも示すように、窓枠２に固定される網戸枠１１と、この網戸枠１１の内部にて左右に開閉自在に設けられるネット１２とを備えて構成されている。網戸枠１１は、それぞれアルミ形材製であり、図２の左側の縦枠５に固定される収納ケース１３と、右側の縦枠５に固定される当接枠１４と、上枠３に支持される上レール枠１５と、下枠４に支持される下レール枠１６とを有して構成されている。収納ケース１３の内部には、ネット１２の端部が固定されて当該ネット１２を巻き取る巻き取り軸１３Ａが設けられ、図示しないばねによって巻き取り軸１３Ａが巻き取り方向（図２における左回り方向）に付勢されることで、ネット１２が収納ケース１３内に収納されるようになっている。また、巻き取り軸１３Ａの外周面における当該巻き取り軸１３Ａの中心を挟んだ両側には、上端から下端にかけて延びる軸溝部１３Ｂがそれぞれ設けられている。
【００１３】
ネット１２は、経糸２１と緯糸２２とが格子状に平織りされた面状のスクリーンおよび網材としてのネット本体２０と、このネット本体２０における開閉方向に沿った端縁（ネット本体２０における引き出し方向と平行な端縁）である上下端縁に設けられる被ガイド部としてのファスナーテープ２３と、ネット本体２０における閉鎖方向側の側端縁に設けられる可動框２４とを有して構成されている。ファスナーテープ２３は、ネット本体２０よりも厚く形成され、当該ネット本体２０に溶着されている。
また、上レール枠１５および下レール枠１６には、それぞれネット１２のファスナーテープ２３を左右にスライド案内する摺動溝１７Ａを有した樹脂製のガイドレール１７が設けられている。このようなネット１２は、開放方向である図２の左側に向かって可動框２４を操作し、巻き取り軸１３Ａにネット本体２０を巻き取らせるとともに、可動框２４を収納ケース１３に当接させることでネット１２が開放状態となる。一方、閉鎖方向である図２の右側に向かって可動框２４を操作し、収納ケース１３からネット本体２０を引き出すとともに、可動框２４を当接枠１４に当接させることで窓枠２の開口を覆う閉鎖状態となる。
【００１４】
また、図４にも示すように、巻き取り軸１３Ａにおける中央部を避けた２箇所（例えば、中央部よりも上側および下側における上下方向中央部分）であって、ファスナーテープ２３よりもネット本体２０側の位置には、当該巻き取り軸１３Ａの外周面を覆うカバー部材７がそれぞれ着脱自在に取り付けられている。当該カバー部材７は、図５にも示すように、樹脂を射出成形することにより中心角が約３００°、すなわち１８０°以上の略円弧筒状に形成されており、弾性変形可能に構成されている。
また、カバー部材７の外周方向両端における上端から下端にかけての位置には、当該カバー部材７の中心に向かって平面視で略台形状に突出する摺接突部７１が設けられている。このような摺接突部７１を設けることで、カバー部材７を巻き取り軸１３Ａの側方から取り付けるときに、摺接突部７１の斜面部７１１と巻き取り軸１３Ａの外周面とを摺接させつつ、カバー部材７の外周方向両端部を広げるようにカバー部材７を弾性変形させることができるようになっている。
さらに、摺接突部７１の上端または下端には、カバー部材７の中心に向かって平面視で略三角形状に突出する突起部７２が設けられている。この突起部７２が経糸２１と緯糸２２とで形成される網目２０Ａに係止されることで、ネット１２の開閉中にカバー部材７が上下に位置ずれすることを抑制できるようになっている。
また、カバー部材７の中心を挟んでそれぞれの摺接突部７１と対向する位置には、カバー部材７の中心に向かって突出し、巻き取り軸１３Ａの外周面に当接する当接突部７３がそれぞれ設けられている。さらに、摺接突部７１と当接突部７３との略中間位置には、カバー部材７の中心に向かって突出し、巻き取り軸１３Ａの軸溝部１３Ｂに係合することでカバー部材７の回転を防止する回転防止突部７４がそれぞれ設けられている。当接突部７３および回転防止突部７４は、平面視で略三角形状に形成されており、カバー部材７の上端から下端にかけて設けられている。
【００１５】
さらに、カバー部材７の外周面における摺接突部７１と当接突部７３との略中間に対応する位置には、第１カバー溝７５がそれぞれ設けられている。また、カバー部材７の外周面における当接突部７３と回転防止突部７４との略中間に対応する位置よりも若干回転防止突部７４側には、第２カバー溝７６がそれぞれ設けられている。第１カバー溝７５および第２カバー溝７６は、カバー部材７の上端から下端かけて設けられている。このような構成により、図６に示すように、巻き取り軸１３Ａの下側に取り付けられたカバー部材７の外側に他のカバー部材７を取り付けたときに、内側のカバー部材７の第１カバー溝７５に外側のカバー部材７の摺接突部７１が係合し、内側のカバー部材７の下端に突起部７２が当接し、内側のカバー部材７の第２カバー溝７６に外側のカバー部材７の回転防止突部７４が係合するようになっている。
【００１６】
次に、ロール網戸１０の作用について説明する。
巻き取り軸１３Ａにおける中央部を避けた２箇所であってネット本体２０の巻き取り位置に、それぞれ１個ずつのカバー部材７を取り付けたロール網戸１０において、図２に示す閉鎖状態から開放状態にするために可動框２４を左側に操作すると、巻き取り軸１３Ａが巻き取り方向に回転し、ネット１２が巻き取り軸１３Ａによって巻き取られて収納ケース１３内に収納される。このネット１２の巻き取りのとき、巻き取り軸１３Ａにおけるネット本体２０が巻き取られる部分にはカバー部材７が取り付けられているため、ネット本体２０の巻き径は、カバー部材７を取り付けない場合と比べてカバー部材７に対応する分だけ大きくなる。一方で、ファスナーテープ２３の巻き径は、カバー部材７の影響をほとんど受けず、カバー部材７を取り付けない場合とほぼ同じとなる。したがって、カバー部材７を取り付けない場合と比べて、ネット１２の巻き取り中におけるネット本体２０の巻き径とファスナーテープ２３の巻き径との差が小さくなる。
【００１７】
また、ネット１２の巻き取り量が多い場合、あるいは、ネット本体２０とファスナーテープ２３との厚みの差が大きい場合であって、巻き取り軸１３Ａの２箇所にそれぞれ１個ずつのカバー部材７を設けただけでは、ネット本体２０とファスナーテープ２３との巻き径の差を小さくできず、巻取り中にネット１２に撓みが発生する場合には、図６に示すように、２個のカバー部材７を巻き取り軸１３Ａの径方向に沿って重ねて取り付ければよい。このように複数のカバー部材７を重ねて取り付けることで、ネット本体２０とファスナーテープ２３との巻き径の差を小さくすることができる。
【００１８】
本実施形態によれば以下の効果が得られる。
（１）巻き取り軸１３Ａにおけるネット本体２０の巻き取り位置に、巻き取り軸１３Ａの一部を覆うカバー部材７を設けているため、巻き取り軸１３Ａによって巻き取られるときのネット本体２０とファスナーテープ２３との巻き径の差をカバー部材７が設けられていない場合と比べて小さくすることができ、ネット本体２０とファスナーテープ２３との巻き取り力の差も小さくすることができる。したがって、ネット本体２０が巻き取られるタイミングとファスナーテープ２３が巻き取られるタイミングとの差が小さくなり、巻き取り中にネット本体２０に撓みが発生することを抑制でき、ネット本体２０を最後まで適切に巻き取ることができる。
【００１９】
（２）弾性変形可能な樹脂を用いてカバー部材７を中心角が１８０°以上の円弧筒状に形成しているため、巻き取り軸１３Ａの側方からカバー部材７を弾性変形させながら容易に取り付けることができる。また、カバー部材７の内周面に設けた突起部７２をネット本体２０の網目２０Ａに係止させることで、ネット１２の開閉中にカバー部材７が巻き取り軸１３Ａの軸方向に沿って位置ずれすることを抑制できる。
また、巻き取り軸１３Ａに取り付けたままカバー部材７を上下や左右にスライドさせた場合、所定の網目２０Ａに係止していた突起部７２が経糸２１や緯糸２２に到達するとカバー部材７が弾性変形するため、突起部７２が当該経糸２１や緯糸２２を乗り越えて隣の網目２０Ａに移動することができる。したがって、カバー部材７を巻き取り軸１３Ａから取り外すことなく、カバー部材７の位置を容易に調整できる。
【００２０】
（３）内側のカバー部材７の第１カバー溝７５に外側のカバー部材７の摺接突部７１を係合させ、内側のカバー部材７の第２カバー溝７６に外側のカバー部材７の回転防止突部７４を係合させることで、複数のカバー部材７を重ねて取り付け可能に構成している。このため、ネット本体２０の巻き取り量やネット本体２０とファスナーテープ２３との厚みの差によらず、ネット本体２０とファスナーテープ２３との巻き径の差を小さくすることができ、巻き取り中にネット本体２０に撓みが発生することを抑制でき、ネット本体２０を最後まで適切に巻き取ることができる。さらには、同じ形状のカバー部材７を重ねるだけでネット本体２０の巻き径を大きくすることが可能となり、例えばネット本体２０の巻き取り量に応じて異なる外形状のカバー部材７を準備する必要がなくなり、部品種類の増加やコストアップを抑制できる。
【００２１】
（４）巻き取り軸１３Ａの中央部を避けた２箇所に、カバー部材７を取り付けている。
ここで、ネット１２を収納するときに巻き取り軸１３Ａのぶれや撓みが発生した場合、当該ぶれや撓みは、巻き取り軸１３Ａの上端側や下端側に比べて中央部の方が大きくなる。このため、カバー部材７や当該カバー部材７で巻き取られたネット１２が収納ケース１３の内周面に接触して異音が生じたり、ネット１２を適切に収納できなくなるという不具合が発生する。このような不具合を抑制するために収納ケース１３を大きくすることが考えられるが、意匠性を重視するロール網戸１０では収納ケース１３は極力小さい方が望ましい。
これに対して、収納ケース１３の中央部を避けた位置にカバー部材７を取り付けることで、巻き取り軸１３Ａのぶれや撓みの影響を小さくすることができ、収納ケース１３を大きくすることなく異音や収納時の不具合を抑制できる。
【００２２】
なお、本発明は、前記実施形態に限定されるものではなく、本発明の目的を達成できる他の構成等を含み、以下に示すような変形等も本発明に含まれる。
例えば、図７、図８、および、図９に示すようなカバー部材７Ａを適用してもよい。このカバー部材７Ａと上記実施形態のカバー部材７との相違点は、カバー部材７では摺接突部７１の上端または下端に設けていた突起部７２を摺接突部７１の上下方向略中央に設けた点と、第１カバー溝７５の上下方向略中央に突起部７２が係合可能な係合孔部７７Ａを設けた点である。
このような構成によれば、図７（Ｂ）に示すように、１個のカバー部材７Ａを巻き取り軸１３Ａに取り付けることができ、上記実施形態の（１）、（２）と同様の効果が得られる。さらに、２個のカバー部材７Ａを重ねて取り付ける場合には、図８および図９に示すように、外側のカバー部材７Ａの突起部７２を内側のカバー部材７Ａの係合孔部７７Ａに係合させるとともに、外側の摺接突部７１を内側の第１カバー溝７５に係合させることで、外側のカバー部材７Ａが内側のカバー部材７Ａに対して上下にスライドすることを抑制できる上、上記実施形態の（３）と同様の効果が得られる。
【００２３】
さらに、カバー部材７，７Ａの中心角を３００°以外の角度としてもよく、カバー部材７，７Ａを円筒状としてもよいし、中心角を１８０°未満にしてもよい。カバー部材７，７Ａの中心角を１８０°未満とした場合には、両面テープや接着剤あるいはねじなどの固定手段で巻き取り軸１３Ａに固定してもよいし、弾性変形不可能な材料で形成してもよい。
また、カバー部材７，７Ａの取り付け個数は、１個でもよいし３個以上であってもよい。１個とする場合には、カバー部材７，７Ａの高さ寸法をネット本体２０の高さ寸法と略等しくして、巻き取り軸１３Ａの上端から下端にかけての位置をカバー部材７，７Ａで覆うようにしてもよい。
さらには、カバー部材７，７Ａに突起部７２を設けなくてもよい。
また、左右に開閉自在な横引きのロール網戸１０を例示したが、上下に開閉可能な縦引きのものでもよいし、上下左右以外の方向に開閉可能なものであってもよい。
【００２４】
その他、本発明を実施するための最良の構成、方法などは、以上の記載で開示されているが、本発明は、これに限定されるものではない。すなわち、本発明は、主に特定の実施形態に関して特に図示され、かつ説明されているが、本発明の技術的思想および目的の範囲から逸脱することなく、以上述べた実施形態に対し、形状、材質、数量、その他の詳細な構成において、当業者が様々な変形を加えることができるものである。
従って、上記に開示した形状、材質などを限定した記載は、本発明の理解を容易にするために例示的に記載したものであり、本発明を限定するものではないから、それらの形状、材質などの限定の一部もしくは全部の限定を外した部材の名称での記載は、本発明に含まれるものである。
【符号の説明】
【００２５】
７，７Ａ…カバー部材、１０…ロール網戸（スクリーン装置）、１３Ａ…巻き取り軸、１７…ガイドレール、２０…ネット本体（スクリーン、網材）、２３…ファスナーテープ（被ガイド部）、７２…突起部、７７Ａ…係合孔部。
【図１】
2013147898.tif 000003
【図２】
2013147898.tif 000004
【図３】
2013147898.tif 000005
【図４】
2013147898.tif 000006
【図５】
2013147898.tif 000007
【図６】
2013147898.tif 000008
【図７】
2013147898.tif 000009
【図８】
2013147898.tif 000010
【図９】
2013147898.tif 000011